(57)【特許請求の範囲】
【請求項１】
白色光を出射する光源と、
前記光源から出射された白色光を反射する反射面と、前記光源に沿って延伸するバッファ板とを有する反射部材と、
前記光源及び前記反射部材を保持する本体と
を備え、
前記反射面は、単位面積当たりの割合が一定となるように赤色の領域が形成され、
前記バッファ板は、前記光源から出射された光及び前記反射面において反射された光の一部を遮ることを特徴とする照明装置。
【請求項２】
前記反射面は、断面がアーチ状に湾曲された鏡面であり、
前記バッファ板は、前記光源の延伸方向に沿う片側が直線状に形成され、他側がジグザグ状に形成され、ジグザグ状の各先端部が各反射面のアーチの中央部まで到達するように配置されることを特徴とする請求項１に記載の照明装置。
【請求項３】
前記光源は、青色光を発する発光ダイオードと、黄色の蛍光を発する蛍光体とにより、白色光を出射することを特徴とする請求項１又は２に記載の照明装置。
【請求項４】
前記赤色の領域は、単位面積当たり１〜１０％の割合で前記反射面に形成されることを特徴とする請求項１〜３のいずれか１項に記載の照明装置。
【請求項５】
前記赤色の領域は、千鳥状に配列されることを特徴とする請求項１〜４のいずれか１項に記載の照明装置。
【発明の詳細な説明】
【技術分野】
【０００１】
本発明は、照明装置に関する。
【背景技術】
【０００２】
近年、省エネルギー化等の観点から、発光ダイオード（ＬＥＤ）を用いて白色光を出射する照明装置が普及しつつある。このような照明装置として、青色光を発するＬＥＤと、青色と補色関係にある黄色の蛍光を発する蛍光体とを用いて、比較的安価で、高輝度の白色光を出射する照明装置が知られている。（特許文献１参照）。
【先行技術文献】
【特許文献】
【０００３】
【特許文献１】特開２００１−２３４５１４号公報
【発明の概要】
【発明が解決しようとする課題】
【０００４】
しかしながら、特許文献１に記載の技術は、赤色の波長成分が少ないため、照明する対象によっては演色性が不足する可能性がある。
【０００５】
本発明は、上記問題点を鑑み、安価かつ容易に演色性を向上できる照明装置を提供することを目的とする。
【課題を解決するための手段】
【０００６】
上記目的を達成するために、本発明の第１の態様は、白色光を出射する光源と、前記光源から出射された白色光を反射する反射面と、前記光源に沿って延伸するバッファ板とを有する反射部材と、前記光源及び前記反射部材を保持する本体とを備え、前記反射面は、単位面積当たりの割合が一定となるように赤色の領域が形成され、前記バッファ板は、前記光源から出射された光及び前記反射面において反射された光の一部を遮ることを特徴とする。
【発明の効果】
【０００７】
本発明によれば、反射面に赤色の領域を形成することにより、安価かつ容易に演色性を向上できる照明装置を提供することができる。
【図面の簡単な説明】
【０００８】
【図１】本発明の実施の形態に係る照明装置を備える埋込装置を説明する側面図である。
【図２】本発明の実施の形態に係る照明装置を説明する側面側から見た断面図である。
【図３】本発明の実施の形態に係る照明装置を説明する正面側から見た断面図である。
【図４】本発明の実施の形態に係る照明装置を説明する下面図である。
【図５】本発明の実施の形態に係る照明装置の反射面を説明する拡大平面図である。
【発明を実施するための形態】
【０００９】
次に、図面を参照して、本発明の実施の形態を説明する。以下の図面の記載において、同一又は類似の部分には同一又は類似の符号を付し、重複する説明を省略している。但し、図面は模式的なものであり、図面相互間においても互いの寸法の関係や比率が異なる部分が含まれる。また、以下に示す実施の形態は、本発明の技術的思想を具体化するための装置や方法を例示するものであって、本発明の技術的思想は、構成部品の材質、形状、構造、配置等を下記のものに特定するものでない。
【００１０】
（照明装置）
本発明の実施の形態に係る照明装置２は、例えば、図１に示すように、天井面Ｃに埋め込まれる埋込装置１の一部として設けられる。埋込装置１は、概略として直方体状の筐体１１と、筐体１１の内部において照明装置２を保持する保持台１２とを備える。保持台１２は、例えば、照明装置２が高さＥの天井面Ｃから、水平方向に距離Ｄ離れて壁面Ａを照明するように照明装置２を保持する。
【００１１】
埋込装置１は、例えば、図２に示すように、筐体１１が天井面Ｃに水平な状態で固定具１３により天井面Ｃに対して相対的に固定されている。保持台１２は、筐体１１に固定される。保持台１２は、壁面Ａを向くように傾斜する傾斜面１２１を有し、傾斜面１２１において照明装置２が壁面Ａを向くように照明装置２を保持する。
【００１２】
埋込装置１は、その他、筐体１１の下側を覆うカバー１５と、空調設備のダクト１７０に接続される通風路１７とを備える。カバー１５は固定具１６により筐体１１に固定され、通風路１７は固定具１８により筐体１１に固定される。カバー１５は、照明装置２の壁面Ａ側と反対側に、下方に突出する突出部１５１を有する。突出部１５１は、通風路１７の吹き出し口１７１を露出する開口を下端に有する。カバー１５は、筐体１１の下側のうち、照明装置２及び吹き出し口１７１を除く領域を閉塞する。突出部１５１は、照明装置２から出射された光のうち、壁面Ａ側と反対側に進行する光の一部を遮る遮光部として機能するようにしてもよい。
【００１３】
照明装置２は、図２及び図３に示すように、発光ダイオード（ＬＥＤ）を用いて白色光を出射する複数の光源２１と、光源２１から出射された白色光を反射する反射面３１を有する反射部材３と、光源２１及び反射部材３を保持する本体２３とを備える。
【００１４】
光源２１は、例えば、青色光を発するＬＥＤと、黄色の蛍光を発する蛍光体とを用いて、高輝度の白色光を出射する直管形のランプである。光源２１は、固定具２４により本体２３に固定されたソケット２２に取り付けられる。光源２１は、ソケット２２から給電されることにより白色光を出射する。
【００１５】
本体２３は、例えば、概略として下面を開口する矩形平板状の容器である。本体２３は、固定具２６により、壁面Ａ側を向くように、傾斜面１２１に沿って傾斜した状態で保持台１２に固定される。本体２３は、ソケット２２を介して光源２１にそれぞれ給電する電源回路２５を、上面の内側に備える。電源回路２５は、図示を省略した操作部に対するオペレータの操作により、光源２１の光量を調整することができる。本体２３は、電源回路２５が発する熱を放散する放熱板２７を上面に備える。その他、本体２３は、下面を閉塞するように形成された透明板であるパネル２８を備える。本体２３は、例えば銅等の金属板から形成される。パネル２８は、例えば、アクリル樹脂、ガラス等の透明材料から形成される。
【００１６】
反射部材３は、各光源２１から出射された白色光をそれぞれ反射する反射面３１と、複数のバッファ板３３と、各反射面３１及びバッファ板３３を保持するフレーム部材３２とを備える。フレーム部材３２は、例えば、概略として下面を開口する矩形平板状の容器である。フレーム部材３２は、例えば銅等の金属板から形成される。
【００１７】
反射面３１は、それぞれ、上方に膨らむように、断面がアーチ状に湾曲された鏡面であり、光源２１から出射された白色光を、壁面Ａに向く方向を主として下方に反射する。反射面３１は、各光源２１に対応するように半円筒状に形成され、例えばアルミニウム等、可視光領域の光を概ね反射する金属材料からなる。反射面３１は、断面が放物線をなすようにしてもよい。
【００１８】
バッファ板３３は、各光源２１に沿って延伸する金属板である。バッファ板３３は、図４に示すように、延伸方向に沿う片側が直線状に形成され、他側がジグザグ状に形成される。バッファ板３３は、光源２１から出射された光及び反射面３１において反射された光の、壁面Ａにおけるムラを低減し、均斉度を向上させる。バッファ板３３は、各反射面３１のアーチの端部のうち、壁面Ａに近い側に直線状の部分が接続され、ジグザグ状の各先端部がアーチの中央部まで到達するように配置される。最も壁面Ａに近い側のバッファ板３３は、他のバッファ板よりも幅が広く形成される。
【００１９】
反射部材３は、補強材３４及び固定具３５等により、各反射面３１及び各バッファ板３３がフレーム部材３２に対して相対的に固定された状態で、本体２３の内側に固定される。反射面３１及びフレーム部材３２は、各ソケット２２に対応する領域に貫通孔が設けられており、反射部材３は、各ソケット２２が反射面３１の内側に位置するように本体２３に設置される。各光源２１がソケット２２に取り付けられていない状態で、反射部材３が本体２３の内側に固定された後、各光源２１がソケット２２に取り付けられる。各光源２１が取り付けられた本体２３は、パネル２８により閉塞される。
【００２０】
照明装置２は、パネル２８の下面側に設けられ、光源２１から出射され、光源２１に対して斜め方向に進行する光を低減するルーバ部４を更に備える。ルーバ部４は、本体２３の下面に対応する矩形状の枠部４１と、枠部４１の内部において、光源２１にそれぞれ直交するように配置された複数のルーバ４２とを備える。ルーバ４２は、それぞれ光源２１及び壁面Ａに対して垂直になるように配置された板状の部材であり、例えば銅等の金属板から形成される。ルーバ部４は、固定具４３等により本体２３の下面側に固定された上、ルーバ部４（図２参照）の落下を防止するワイヤ４４により本体２３に接続される。
【００２１】
ルーバ４２配置間隔とバッファ板３３のジグザグのピッチは互いに対応する。図４に示すように、ルーバ４２は、平面視において、それぞれバッファ板３３の谷に位置するように配置される。
【００２２】
反射面３１は、図５に示すように、単位面積当たりの割合が一定となるように、赤色の領域Ｒが形成される。各領域Ｒは、例えば、直径Ｐの円形であり、間隔Ｑのピッチで千鳥状に配列される。領域Ｒは、赤色の塗料が反射面３１に印刷されることにより形成される。
【００２３】
本発明の実施の形態に係る照明装置２は、例えば、美術品や資料等を展示する展示スペース等に採用可能である。図１に示す例では、照明装置２は、壁面Ａや壁面Ａの近傍に配置された対象を照明する。青色ＬＥＤを用いた光源２１は、赤色領域の波長成分が少なく、演色性が不足する可能性があるが、照明装置２は、反射面３１に赤色の領域Ｒが形成されるため、演色性を向上することができる。
【００２４】
例えば、光源２１は、色温度４０００Ｋ、平均演色評価数Ｒａ９５の直管形ＬＥＤランプを使用可能である。図１に示す例において、照明装置２が、左右方向の幅が６０ｃｍ程度であり、天井面Ｃに対して１５°程度傾斜して配置される場合、距離Ｄは１ｍ程度、高さＥは４ｍ程度とすることができる。赤色の領域Ｒは、例えば、直径Ｐは２ｍｍ、間隔Ｑは１０ｍｍで形成されることにより、単位面積当たりの割合が約３．６％となる。領域Ｒの割合は、光源２１、反射面３１、展示物、壁面Ａの種類や、周囲環境等に応じて適宜変更されてよい。領域Ｒの割合は、例えば、１〜１０％とすることができる。その他、領域Ｒは、円形のドットパターンに限るものでなく、単位面積当たりの割合が一定であれば、ストライプ状、格子状等のパターンであってもよい。
【００２５】
本発明の実施の形態に係る照明装置２によれば、反射面３１に赤色の領域Ｒが所定の割合で形成されることにより、輝度を高く保ったまま、波長スペクトルにおける均斉度を向上し、安価かつ容易に演色性を向上することができる。
【００２６】
また、本発明の実施の形態に係る照明装置２によれば、反射面３１に印刷された塗料により領域Ｒを形成するため、カラーフィルタを使用する場合と比べて緻密な配光が損なわれず、退色が少ない。
【００２７】
（その他の実施の形態）
上記のように、本発明を実施の形態によって記載したが、この開示の一部をなす論述及び図面は本発明を限定するものであると理解すべきではない。この開示から当業者には様々な代替実施の形態、実施例及び運用技術が明らかとなろう。
【００２８】
例えば、既に述べた実施の形態において、反射面３１の赤色の領域Ｒは、光源２１の延伸方向における単位面積当たり割合が一定であれば、光源２１に直交する方向における割合を変化させてもよい。例えば、照明装置２から出射される光のうち、光源２１から直接出射する光が多くなる範囲に向けて光を反射する反射面３１の領域は、他の領域よりも赤色の領域Ｒの割合を増加させるようにしてもよい。
実施の形態では領域Ｒとして赤色を用いて説明した。しかし、光源に応じて領域Ｒを赤以外の色として構成してもよい。
【００２９】
上記の他、本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【００３０】
２  照明装置
３  反射部材
２１  光源
２３  本体
３１  反射面
【図１】
0006443749.tif 000002
【図２】
0006443749.tif 000003
【図３】
0006443749.tif 000004
【図４】
0006443749.tif 000005
【図５】
0006443749.tif 000006